(57)【要約】【課題】多数のアンテナを用いる場合にスループットを改善することができる基地局装置、端末装置及び通信方法を提供すること。【解決手段】本発明の基地局装置は、チャネル状態情報参照信号（ＣＳＩ−ＲＳ）及び前記ＣＳＩ−ＲＳの設定情報を前記端末装置に送信する送信部と、前記端末装置から前記ＣＳＩ−ＲＳに関するチャネル状態情報（ＣＳＩ）を受信する受信部を備え、前記ＣＳＩ−ＲＳは、周期的に送信される周期的ＣＳＩ−ＲＳ又は非周期に送信される非周期的ＣＳＩ−ＲＳであり、前記ＣＳＩ−ＲＳの設定情報は、前記ＣＳＩを報告するフィードバック情報形式を示す情報を含む。【選択図】図２
2019091962.tif 000002
【特許請求の範囲】
【請求項１】
端末装置と通信する基地局装置であって、
チャネル状態情報参照信号（ＣＳＩ−ＲＳ）及び前記ＣＳＩ−ＲＳの設定情報を前記端末装置に送信する送信部と、
前記端末装置から前記ＣＳＩ−ＲＳに関するチャネル状態情報（ＣＳＩ）を受信する受信部を備え、
前記ＣＳＩ−ＲＳは、周期的に送信される周期的ＣＳＩ−ＲＳ又は非周期に送信される非周期的ＣＳＩ−ＲＳであり、
前記ＣＳＩ−ＲＳの設定情報は、前記ＣＳＩを報告するフィードバック情報形式を示す情報を含む基地局装置。
【請求項２】
前記ＣＳＩ−ＲＳの設定情報は、前記ＣＳＩの報告に関するタイプを示す情報であるＣＳＩ報告タイプ及びＣＳＩ−ＲＳ設定情報のＩＤであるＣＳＩ−ＲＳ設定情報ＩＤ、周期的ＣＳＩ−ＲＳの情報又は非周期的ＣＳＩ−ＲＳの情報を含み、
前記ＣＳＩ報告タイプ及び前記ＣＳＩ−ＲＳ設定情報ＩＤ、前記周期的ＣＳＩ−ＲＳの情報又は前記非周期的ＣＳＩ−ＲＳの情報は、前記ＣＳＩを報告するフィードバック情報形式を示す情報に関連付けられている、請求項１に記載の基地局装置。
【請求項３】
前記端末装置に対して、暗示的フィードバック情報形式によるＣＳＩ報告に関するＣＳＩ−ＲＳ設定情報と、明示的フィードバック情報形式によるＣＳＩ報告に関するＣＳＩ−ＲＳ設定情報を、前記端末装置に対して設定する、請求項２に記載の基地局装置。
【請求項４】
前記明示的フィードバック情報形式によるＣＳＩ報告に関するＣＳＩ−ＲＳ設定情報に含まれるＣＳＩ報告周期と、前記暗示的フィードバック情報形式によるＣＳＩ報告に関するＣＳＩ−ＲＳ設定情報に含まれるＣＳＩ報告周期が異なる、請求項３に記載の基地局装置。
【請求項５】
前記ＣＳＩ報告は、ワイドバンドＣＳＩ報告とサブバンドＣＳＩ報告を含み、
前記ワイドバンドＣＳＩ報告には、前記暗示的フィードバック情報形式を設定し、前記サブバンドＣＳＩ報告には、前記暗示的フィードバック情報形式を設定する、請求項３に記載の基地局装置。
【請求項６】
前記明示的フィードバック情報形式には、アナログフィードバックが含まれる、請求項３に記載の基地局装置。
【請求項７】
基地局装置と通信する端末装置であって、
チャネル状態情報参照信号（ＣＳＩ−ＲＳ）及び前記ＣＳＩ−ＲＳの設定情報を前記基地局装置より受信する受信部と、
前記基地局装置に前記ＣＳＩ−ＲＳに関するチャネル状態情報（ＣＳＩ）を送信する送信部を備え、
前記ＣＳＩ−ＲＳは、周期的に送信される周期的ＣＳＩ−ＲＳ又は非周期に送信される非周期的ＣＳＩ−ＲＳであり、
前記ＣＳＩ−ＲＳの設定情報は、前記ＣＳＩを報告するフィードバック情報形式を示す情報を含む端末装置。
【請求項８】
前記ＣＳＩ−ＲＳの設定情報は、前記ＣＳＩの報告に関するタイプを示す情報であるＣＳＩ報告タイプ及びＣＳＩ−ＲＳ設定情報のＩＤであるＣＳＩ−ＲＳ設定情報ＩＤ、周期的ＣＳＩ−ＲＳの情報又は非周期的ＣＳＩ−ＲＳの情報を含み、
前記ＣＳＩ報告タイプ及び前記ＣＳＩ−ＲＳ設定情報ＩＤ、前記周期的ＣＳＩ−ＲＳの
情報又は前記非周期的ＣＳＩ−ＲＳの情報は、前記ＣＳＩを報告するフィードバック情報形式を示す情報に関連付けられている、請求項７に記載の端末装置。
【請求項９】
暗示的フィードバック情報形式によるＣＳＩ報告に関するＣＳＩ−ＲＳ設定情報と、明示的フィードバック情報形式によるＣＳＩ報告に関するＣＳＩ−ＲＳ設定情報を、前記基地局装置より設定される、請求項８に記載の端末装置。
【請求項１０】
前記明示的フィードバック情報形式によるＣＳＩ報告に関するＣＳＩ−ＲＳ設定情報に含まれるＣＳＩ報告周期と、前記暗示的フィードバック情報形式によるＣＳＩ報告に関するＣＳＩ−ＲＳ設定情報に含まれるＣＳＩ報告周期が異なる、請求項９に記載の端末装置。
【請求項１１】
前記ＣＳＩ報告は、ワイドバンドＣＳＩ報告とサブバンドＣＳＩ報告を含み、
前記ワイドバンドＣＳＩ報告には、前記暗示的フィードバック情報形式が設定され、前記サブバンドＣＳＩ報告には、前記暗示的フィードバック情報形式を設定される、請求項９に記載の端末装置。
【請求項１２】
前記明示的フィードバック情報形式には、アナログフィードバックが含まれる、請求項９に記載の端末装置。
【請求項１３】
端末装置と通信する基地局装置における通信方法であって、
チャネル状態情報参照信号（ＣＳＩ−ＲＳ）及び前記ＣＳＩ−ＲＳの設定情報を前記端末装置に送信するステップと、
前記端末装置から前記ＣＳＩ−ＲＳに関するチャネル状態情報（ＣＳＩ）を受信するステップを備え、
前記ＣＳＩ−ＲＳは、周期的に送信される周期的ＣＳＩ−ＲＳ又は非周期に送信される非周期的ＣＳＩ−ＲＳであり、
前記ＣＳＩ−ＲＳの設定情報は、前記ＣＳＩを報告するフィードバック情報形式を示す情報を含む通信方法。
【請求項１４】
基地局装置と通信する端末装置における通信方法であって、
チャネル状態情報参照信号（ＣＳＩ−ＲＳ）及び前記ＣＳＩ−ＲＳの設定情報を前記基地局装置より受信するステップと、
前記基地局装置に前記ＣＳＩ−ＲＳに関するチャネル状態情報（ＣＳＩ）を送信するステップを備え、
前記ＣＳＩ−ＲＳは、周期的に送信される周期的ＣＳＩ−ＲＳ又は非周期に送信される非周期的ＣＳＩ−ＲＳであり、
前記ＣＳＩ−ＲＳの設定情報は、前記ＣＳＩを報告するフィードバック情報形式を示す情報を含む通信方法。
【発明の詳細な説明】
【技術分野】
【０００１】
本発明は、基地局装置、端末装置および通信方法に関する。
【背景技術】
【０００２】
３ＧＰＰ（Third Generation Partnership Project）によるＬＴＥ（Long Term Evolution）、ＬＴＥ−Ａ（LTE-Advanced）のような通信システムでは、基地局装置（基地局、
送信局、送信点、下りリンク送信装置、上りリンク受信装置、送信アンテナ群、送信アンテナポート群、コンポーネントキャリア、ｅＮｏｄｅＢ）或いは基地局装置に準じる送信局がカバーするエリアをセル（Cell）状に複数配置するセルラ構成とすることにより、通信エリアを拡大することができる。このセルラ構成において、隣接するセルまたはセクタ間で同一周波数を利用することで、周波数利用効率を向上させることができる。
【０００３】
近年では、次世代移動通信システムが検討されている。次世代移動通信システムでは、非特許文献１に記載されているように、多数のアンテナを備えるＭａｓｓｉｖｅ  ＭＩＭＯ（Multiple Input Multiple Output）やＦｕｌｌ  Ｄｉｍｅｎｓｉｏｎ  （ＦＤ）  ＭＩＭＯと呼ばれる技術が検討されている。Ｍａｓｓｉｖｅ  ＭＩＭＯやＦＤ  ＭＩＭＯでは、ビームフォーミングにより大容量伝送やスループットの向上が期待できる。
【０００４】
ビームフォーミング伝送では、送信局側が、受信局までの間の伝搬路情報（Channel state information：ＣＳＩ）を取得する必要がある。従来のＬＴＥでは、複数の線形フィ
ルタが記載されたコードブックを、送信局と受信局との間で共用し、受信局は、自身にとって望ましい線形フィルタを送信局に通知する手法が最小されている。送信局は、受信局より通知された線形フィルタを、該受信局宛ての信号に乗算し、送信するビームフォーミング伝送により、該受信局の受信品質を改善することができる。この方式は、受信局が、送信局と自身との間の伝搬路情報を暗示的に通知する手法であることから、暗示的伝搬路情報フィードバック（Implicit CSI feedback）と呼ばれる。
【０００５】
一方、ＩＥＥＥ８０２．１１標準においては、受信局が、送信局と自身との間の伝搬路情報を明示的に通知する明示的伝搬路情報フィードバック（Explicit CSI feedback）が
仕様化されている（非特許文献２参照）。ＩＥＥＥ８０２．１１標準で仕様化されている明示的伝搬路情報フィードバックの１つに、受信局が、送信局との間の伝搬路情報の推定結果である伝搬路行列情報を直接量子化し、該量子化された情報を受信局が送信局に通知する手法がある。
【先行技術文献】
【非特許文献】
【０００６】
【非特許文献１】3GPP RP-160623, March 2016.
【非特許文献２】IEEE Std 802.11TM-2012, March 2012.
【発明の概要】
【発明が解決しようとする課題】
【０００７】
しかしながら、非特許文献１に記載のＭａｓｓｉｖｅ  ＭＩＭＯやＦＤ  ＭＩＭＯでは、アンテナ数が非常に多くなるため、暗示的伝搬路情報フィードバックでは、受信局が送信局に通知する伝搬路情報と、実際の伝搬路情報との間の誤差が無視できなくなる。特に、送信局が複数の受信局に対して、同時に信号を送信するマルチユーザ空間多重伝送においては、伝搬路情報の誤差に起因して発生するユーザ間干渉によるスループット劣化が問題となる。
【０００８】
一方、明示的伝搬路情報フィードバックにおいては、暗示的伝搬路情報フィードバックよりも、精度よく伝搬路情報を受信局は送信局に通知することができるから、前述したような伝搬路情報の誤差に起因するユーザ間干渉は小さくなる。しかし、明示的伝搬路情報フィードバックでは、受信局が伝搬路情報を直接量子化した情報を送信局に通知するから、受信局の伝搬路情報の通知に起因するオーバーヘッドの増加が無視できなくなり、やはりスループット劣化が問題となる。
【０００９】
本発明はこのような事情を鑑みてなされたものであり、その目的は、多数のアンテナを用いる場合にスループットを改善することができる基地局装置、端末装置及び通信方法を提供することにある。
【課題を解決するための手段】
【００１０】
上述した課題を解決するために本発明に係る基地局装置、端末装置および通信方法の構成は、次の通りである。
【００１１】
（１）本発明の基地局装置は、端末装置と通信する基地局装置であって、チャネル状態情報参照信号（ＣＳＩ−ＲＳ）及び前記ＣＳＩ−ＲＳの設定情報を前記端末装置に送信する送信部と、前記端末装置から前記ＣＳＩ−ＲＳに関するチャネル状態情報（ＣＳＩ）を受信する受信部を備え、前記ＣＳＩ−ＲＳは、周期的に送信される周期的ＣＳＩ−ＲＳ又は非周期に送信される非周期的ＣＳＩ−ＲＳであり、前記ＣＳＩ−ＲＳの設定情報は、前記ＣＳＩを報告するフィードバック情報形式を示す情報を含む。
【００１２】
（２）また本発明の基地局装置は、上記（１）に記載され、前記ＣＳＩ−ＲＳの設定情報は、前記ＣＳＩの報告に関するタイプを示す情報であるＣＳＩ報告タイプ及びＣＳＩ−ＲＳ設定情報のＩＤであるＣＳＩ−ＲＳ設定情報ＩＤ、周期的ＣＳＩ−ＲＳの情報又は非周期的ＣＳＩ−ＲＳの情報を含み、前記ＣＳＩの報告に関するタイプを示す情報であるＣＳＩ報告タイプ及びＣＳＩ−ＲＳ設定情報のＩＤであるＣＳＩ−ＲＳ設定情報ＩＤ、周期的ＣＳＩ−ＲＳの情報又は非周期的ＣＳＩ−ＲＳの情報は、前記ＣＳＩを報告するフィードバック情報形式を示す情報に関連付けられている。
【００１３】
（３）また本発明の基地局装置は、上記（２）に記載され、前記端末装置に対して、暗示的フィードバック情報形式によるＣＳＩ報告に関するＣＳＩ−ＲＳ設定情報と、明示的フィードバック情報形式によるＣＳＩ報告に関するＣＳＩ−ＲＳ設定情報を、前記端末装置に対して設定する。
【００１４】
（４）また本発明の基地局装置は、上記（３）に記載され、前記明示的フィードバック情報形式によるＣＳＩ報告に関するＣＳＩ−ＲＳ設定情報に含まれるＣＳＩ報告周期と、前記暗示的フィードバック情報形式によるＣＳＩ報告に関するＣＳＩ−ＲＳ設定情報に含まれるＣＳＩ報告周期が異なる。
【００１５】
（５）また本発明の基地局装置は、上記（３）に記載され、前記ＣＳＩ報告は、ワイドバンドＣＳＩ報告とサブバンドＣＳＩ報告を含み、前記ワイドバンドＣＳＩ報告には、前記暗示的フィードバック情報形式を設定し、前記サブバンドＣＳＩ報告には、前記暗示的フィードバック情報形式を設定する。
【００１６】
（６）また本発明の基地局装置は、上記（３）に記載され、前記明示的フィードバック形式には、アナログフィードバックが含まれる。
【００１７】
（７）また本発明の端末装置は、基地局装置と通信する端末装置であって、チャネル状
態情報参照信号（ＣＳＩ−ＲＳ）及び前記ＣＳＩ−ＲＳの設定情報を前記基地局装置より受信する受信部と、前記基地局装置に前記ＣＳＩ−ＲＳに関するチャネル状態情報（ＣＳＩ）を送信する送信部を備え、前記ＣＳＩ−ＲＳは、周期的に送信される周期的ＣＳＩ−ＲＳ又は非周期に送信される非周期的ＣＳＩ−ＲＳであり、前記ＣＳＩ−ＲＳの設定情報は、前記ＣＳＩを報告するフィードバック情報形式を示す情報を含む。
【００１８】
（８）また本発明の端末装置は、上記（７）に記載され、前記ＣＳＩ−ＲＳの設定情報は、前記ＣＳＩの報告に関するタイプを示す情報であるＣＳＩ報告タイプ及びＣＳＩ−ＲＳ設定情報のＩＤであるＣＳＩ−ＲＳ設定情報ＩＤ、周期的ＣＳＩ−ＲＳの情報又は非周期的ＣＳＩ−ＲＳの情報を含み、前記ＣＳＩ報告タイプ及び前記ＣＳＩ−ＲＳ設定情報ＩＤ、前記周期的ＣＳＩ−ＲＳの情報又は前記非周期的ＣＳＩ−ＲＳの情報は、前記ＣＳＩを報告するフィードバック情報形式を示す情報に関連付けられている。
【００１９】
（９）また本発明の端末装置は、上記（８）に記載され、暗示的フィードバック形式によるＣＳＩ報告に関するＣＳＩ−ＲＳ設定情報と、明示的フィードバック情報形式によるＣＳＩ報告に関するＣＳＩ−ＲＳ設定情報を、前記基地局装置より設定される。
【００２０】
（１０）また本発明の端末装置は、上記（９）に記載され、前記明示的フィードバック情報形式によるＣＳＩ報告に関するＣＳＩ−ＲＳ設定情報に含まれるＣＳＩ報告周期と、前記暗示的フィードバック情報形式によるＣＳＩ報告に関するＣＳＩ−ＲＳ設定情報に含まれるＣＳＩ報告周期が異なる。
【００２１】
（１１）また本発明の端末装置は、上記（９）に記載され、前記ＣＳＩ報告は、ワイドバンドＣＳＩ報告とサブバンドＣＳＩ報告を含み、前記ワイドバンドＣＳＩ報告には、前記暗示的フィードバック情報形式が設定され、前記サブバンドＣＳＩ報告には、前記暗示的フィードバック情報形式を設定される。
【００２２】
（１２）また本発明の端末装置は、上記（９）に記載され、前記明示的フィードバック形式には、アナログフィードバックが含まれる。
【００２３】
（１３）また本発明の通信方法は、端末装置と通信する基地局装置における通信方法であって、チャネル状態情報参照信号（ＣＳＩ−ＲＳ）及び前記ＣＳＩ−ＲＳの設定情報を前記端末装置に送信するステップと、前記端末装置から前記ＣＳＩ−ＲＳに関するチャネル状態情報（ＣＳＩ）を受信するステップを備え、前記ＣＳＩ−ＲＳは、周期的に送信される周期的ＣＳＩ−ＲＳ又は非周期に送信される非周期的ＣＳＩ−ＲＳであり、前記ＣＳＩ−ＲＳの設定情報は、前記ＣＳＩを報告するフィードバック情報形式を示す情報を含む。
【００２４】
（１４）また本発明の通信方法は、基地局装置と通信する端末装置における通信方法であって、チャネル状態情報参照信号（ＣＳＩ−ＲＳ）及び前記ＣＳＩ−ＲＳの設定情報を前記基地局装置より受信するステップと、前記基地局装置に前記ＣＳＩ−ＲＳに関するチャネル状態情報（ＣＳＩ）を送信するステップを備え、前記ＣＳＩ−ＲＳは、周期的に送信される周期的ＣＳＩ−ＲＳ又は非周期に送信される非周期的ＣＳＩ−ＲＳであり、前記ＣＳＩ−ＲＳの設定情報は、前記ＣＳＩを報告するフィードバック情報形式を示す情報を含む。
【発明の効果】
【００２５】
本発明によれば、ＣＳＩ報告に係るオーバーヘッドを抑え、スループットを向上させることができる。
【図面の簡単な説明】
【００２６】
【図１】本実施形態に係る通信システムの例を示す図である
【図２】本実施形態に係るＣＳＩ報告の周期の例を示す図である
【図３】本実施形態に係る基地局装置の構成例を示すブロック図である
【図４】本実施形態に係る端末装置の構成例を示すブロック図である
【発明を実施するための形態】
【００２７】
本実施形態における通信システムは、基地局装置（送信装置、セル、送信点、送信アンテナ群、送信アンテナポート群、コンポーネントキャリア、ｅＮｏｄｅＢ）および端末装置（端末、移動端末、受信点、受信端末、受信装置、受信アンテナ群、受信アンテナポート群、ＵＥ）を備える。また端末装置と接続している（無線リンクを確立している）基地局装置をサービングセルと呼ぶ。
【００２８】
本実施形態における基地局装置及び端末装置は、無線事業者がサービスを提供する国や地域から使用許可（免許）が得られた、いわゆるライセンスバンド（licensed band）と
呼ばれる周波数バンド、及び／又は、国や地域からの使用許可（免許）を必要としない、いわゆるアンライセンスバンド（unlicensed band）と呼ばれる周波数バンドで通信する
ことができる。
【００２９】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００３０】
図１は、本実施形態に係る通信システムの例を示す図である。図１に示すように、本実施形態における通信システムは、基地局装置１Ａ、端末装置２Ａ、２Ｂを備える。また、カバレッジ１−１は、基地局装置１Ａが端末装置と接続可能な範囲（通信エリア）である。また、端末装置２Ａ、２Ｂを総称して端末装置２とも称する。
【００３１】
図１において、端末装置２Ａから基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３２】
ＰＵＣＣＨは、上りリンク制御情報（Uplink Control Information: UCI）を送信する
ために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ
）を含む。下りリンクデータに対するＡＣＫ／ＮＡＣＫを、ＨＡＲＱ−ＡＣＫ、ＨＡＲＱフィードバックとも称する。
【００３３】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリン
グ要求（Scheduling Request: SR）を含む。前記チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）、好適なＣＳＩ−ＲＳリソースを
示すＣＳＩ−ＲＳ（Reference Signal、参照信号）リソース指標ＣＲＩ（CSI-RS Resourc
e Indication）などが該当する。
【００３４】
前記チャネル品質指標ＣＱＩは（以下、ＣＱＩ値）、所定の帯域（詳細は後述）における好適な変調方式（例えば、ＱＰＳＫ、１６ＱＡＭ、６４ＱＡＭ、２５６ＱＡＭなど）、符号化率（coding rate）とすることができる。ＣＱＩ値は、前記変更方式や符号化率に
より定められたインデックス（CQI Index）とすることができる。前記ＣＱＩ値は、予め
当該システムで定めたものをすることができる。
【００３５】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００３６】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００３７】
また、ＰＵＳＣＨは、ＲＲＣメッセージを送信するために用いられる。ＲＲＣメッセージは、無線リソース制御（Radio Resource Control: RRC）層において処理される情報／
信号である。また、ＰＵＳＣＨは、ＭＡＣ  ＣＥ（Control Element）を送信するために
用いられる。ここで、ＭＡＣ  ＣＥは、媒体アクセス制御（MAC: Medium Access Control）層において処理（送信）される情報／信号である。
【００３８】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００３９】
ＰＲＡＣＨは、ランダムアクセスプリアンブルを送信するために用いられる。
【００４０】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００４１】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。
【００４２】
図１において、基地局装置１Ａから端末装置２Ａへの下りリンクの無線通信では、以下の下りリンク物理チャネルが用いられる。下りリンク物理チャネルは、上位層から出力された情報を送信するために使用される。
・ＰＢＣＨ（Physical Broadcast Channel；報知チャネル）
・ＰＣＦＩＣＨ（Physical Control Format Indicator Channel；制御フォーマット指示
チャネル）
・ＰＨＩＣＨ（Physical Hybrid automatic repeat request Indicator Channel；HARQ指示チャネル）
・ＰＤＣＣＨ（Physical Downlink Control Channel；下りリンク制御チャネル）
・ＥＰＤＣＣＨ（Enhanced Physical Downlink Control Channel；拡張下りリンク制御チャネル）
・ＰＤＳＣＨ（Physical Downlink Shared Channel；下りリンク共有チャネル）
【００４３】
ＰＢＣＨは、端末装置で共通に用いられるマスターインフォメーションブロック（Master Information Block: MIB, Broadcast Channel: BCH）を報知するために用いられる。
ＰＣＦＩＣＨは、ＰＤＣＣＨの送信に用いられる領域（例えば、ＯＦＤＭシンボルの数）を指示する情報を送信するために用いられる。
【００４４】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。また、ＡＣＫ／ＮＡＣＫは、ＨＡＲＱ−ＡＣＫとも呼称する。端末装置２Ａは、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２ＡはＡＣＫを上位レイヤに通知する。
【００４５】
ＰＤＣＣＨおよびＥＰＤＣＣＨは、下りリンク制御情報（Downlink Control Information: DCI）を送信するために用いられる。ここで、下りリンク制御情報の送信に対して、
複数のＤＣＩフォーマットが定義される。すなわち、下りリンク制御情報に対するフィールドがＤＣＩフォーマットに定義され、情報ビットへマップされる。
【００４６】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００４７】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００４８】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００４９】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００５０】
また、上りリンクに対するＤＣＩフォーマットは、下りリンクのチャネル状態情報（ＣＳＩ；Channel State Information。受信品質情報とも称する。）を要求（CSI request）するために用いることができる。
【００５１】
また、上りリンクに対するＤＣＩフォーマットは、端末装置が基地局装置にフィードバックするチャネル状態情報報告(CSI feedback report)をマップする上りリンクリソース
を示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００５２】
例えば、チャネル状態情報報告は、不定期なチャネル状態情報（Aperiodic CSI）を報
告する上りリンクリソースを示す設定のために用いることができる。チャネル状態情報報告は、不定期的にチャネル状態情報を報告するモード設定（CSI report mode）のために
用いることができる。基地局装置は、前記定期的なチャネル状態情報報告又は前記不定期的なチャネル状態情報報告のいずれかを設定することができる。また、基地局装置は、前記定期的なチャネル状態情報報告及び前記不定期的なチャネル状態情報報告の両方を設定することもできる。
【００５３】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００５４】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００５５】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００５６】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００５７】
また、ＰＤＳＣＨは、ＲＲＣメッセージを送信するために用いられる。ここで、基地局装置から送信されるＲＲＣメッセージは、セル内における複数の端末装置に対して共通であっても良い。また、基地局装置１Ａから送信されるＲＲＣメッセージは、ある端末装置２に対して専用のメッセージ（dedicated signalingとも称する）であっても良い。すな
わち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００５８】
ここで、ＲＲＣメッセージおよび／またはＭＡＣ  ＣＥを、上位層の信号（higher layer signaling）とも称する。
【００５９】
また、ＰＤＳＣＨは、下りリンクのチャネル状態情報を要求するために用いることができる。また、ＰＤＳＣＨは、端末装置が基地局装置にフィードバックするチャネル状態情報報告(CSI feedback report)をマップする上りリンクリソースを送信するために用いる
ことができる。例えば、チャネル状態情報報告は、定期的にチャネル状態情報（Periodic
CSI）を報告する上りリンクリソースを示す設定のために用いることができる。チャネル
状態情報報告は、定期的にチャネル状態情報を報告するモード設定（CSI report mode）
のために用いることができる。
【００６０】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対
して１つのチャネル状態情報を算出する。狭帯域ＣＳＩは、システム帯域を所定の単位に区分し、その区分に対して１つのチャネル状態情報を算出する。
【００６１】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００６２】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００６３】
ここで、下りリンク参照信号には、ＣＲＳ（Cell-specific Reference Signal;
セル固有参照信号）、ＰＤＳＣＨに関連するＵＲＳ（UE-specific Reference Signal；端末固有参照信号、端末装置固有参照信号）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００６４】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００６５】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００６６】
ＮＺＰ  ＣＳＩ−ＲＳのリソースは、基地局装置１Ａによって設定される。例えば、端末装置２Ａは、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２Ａは、ＮＺＰ  ＣＳＩ−ＲＳが対応するリソースにおいて干渉の測定を行なう。
【００６７】
ＭＢＳＦＮ（Multimedia Broadcast multicast service Single Frequency Network）
ＲＳは、ＰＭＣＨの送信に用いられるサブフレームの全帯域で送信される。ＭＢＳＦＮ
ＲＳは、ＰＭＣＨの復調を行なうために用いられる。ＰＭＣＨは、ＭＢＳＦＮ  ＲＳの送信に用いられるアンテナポートで送信される。
【００６８】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６９】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポート
ブロックは、ＭＡＣ層が物理層に渡す（deliverする）データの単位である。物理層にお
いて、トランスポートブロックはコードワードにマップされ、コードワード毎に符号化処理などが行なわれる。
【００７０】
また、キャリアアグリゲーション（CA; Carrier Aggregation）をサポートしている端
末装置に対して、基地局装置は、より広帯域伝送のため複数のコンポーネントキャリア（CC; Component Carrier）を統合して通信することができる。キャリアアグリゲーション
では、１つのプライマリセル（ＰＣｅｌｌ；Primary Cell）及び１または複数のセカンダリセル（ＳＣｅｌｌ；Secondary Cell）がサービングセルの集合として設定される。
【００７１】
また、デュアルコネクティビティ（DC; Dual Connectivity）では、サービングセルの
グループとして、マスターセルグループ（MCG; Master Cell Group）とセカンダリセルグループ（SCG; Secondary Cell Group）が設定される。ＭＣＧはＰＣｅｌｌとオプション
で１又は複数のＳＣｅｌｌから構成される。またＳＣＧはプライマリＳＣｅｌｌ（ＰＳＣｅｌｌ）とオプションで１又は複数のＳＣｅｌｌから構成される。
【００７２】
基地局装置はＣＳＩ−ＲＳ設定情報を端末装置に送信することができる。ＣＳＩ−ＲＳ設定情報は、アンテナポート数、リソース設定、サブフレーム設定の一部又は全部を含む。またリソース設定はＣＳＩ−ＲＳが配置されるリソースに関する情報である。サブフレーム設定は、ＣＳＩ−ＲＳが配置されるサブフレームやＣＳＩ−ＲＳが送信される周期に関する情報である。
【００７３】
またＣＳＩ−ＲＳは、ＣＳＩ報告（フィードバック）に関するｅＭＩＭＯタイプ（ＣＳＩ報告タイプ）としてｎｏｎ−ｐｒｅｃｏｄｅｄ（ＣＬＡＳＳ  Ａとも呼ぶ）及び／又はｂｅａｍｆｏｒｍｅｄ（ＣＬＡＳＳ  Ｂとも呼ぶ）が設定される。なお、ｎｏｎ−ｐｒｅｃｏｄｅｄ（ＣＬＡＳＳ  Ａ）が設定されたＣＳＩ−ＲＳをｎｏｎ−ｐｒｅｃｏｄｅｄ  ＣＳＩ−ＲＳ（ＮＰ  ＣＳＩ−ＲＳ、第１のＣＳＩ−ＲＳ）とも呼び、ｂｅａｍｆｏｒｍｅｄ（ＣＬＡＳＳ  Ｂ）が設定されたＣＳＩ−ＲＳを（ＢＦ  ＣＳＩ−ＲＳ、第２のＣＳＩ−ＲＳ）とも呼ぶ。また基地局装置は、ＮＰ  ＣＳＩ−ＲＳかＢＦ  ＣＳＩ−ＲＳかを示す情報を端末装置に送信することができる。つまり、端末装置は、基地局装置からＮＰ
ＣＳＩ−ＲＳかＢＦ  ＣＳＩ−ＲＳかを示す情報を受信し、設定されたＣＳＩ−ＲＳがＮＰ  ＣＳＩ−ＲＳかＢＦ  ＣＳＩ−ＲＳかを知ることができる。また、ＮＰ−ＣＳＩ−ＲＳ及び／又はＢＦ  ＣＳＩ−ＲＳは、ＣＳＩ測定、ＲＲＭ（Ｒａｄｉｏ  Ｒｅｓｏｕｒｃｅ  Ｍａｎａｇｅｒ）測定、ＲＬＭ（Ｒａｄｉｏ  Ｌｉｎｋ  Ｍｏｎｉｔｏｒｉｎｋ）測定などに用いられる。
【００７４】
また基地局装置は、上位レイヤのシグナリングに、少なくともチャネル測定のためのＣＳＩ−ＲＳと干渉測定のためのＣＳＩ−ＩＭ（Ｉｎｔｅｒｆｅｒｅｎｃｅ  Ｍｅａｓｕｒｅｍｅｎｔ）を関連付けて、チャネル状態情報を算出する手順に関する設定(ＣＳＩプロ
セス)を含めることができる。ＣＳＩプロセスには、そのＣＳＩプロセスＩＤ、ＣＳＩ−
ＲＳの設定情報、ＣＳＩ−ＲＳ設定ＩＤ、ＮＰ  ＣＳＩ−ＲＳかＢＦ  ＣＳＩ−ＲＳかを示す情報（ｅＭＩＭＯタイプ、ＣＳＩ報告タイプ）、NP CSI-RSの設定情報、BF CSI-RSの設定情報の一部又は全部を含めることができる。基地局装置は、１つ以上のＣＳＩプロセスを設定することができる。基地局装置は、ＣＳＩのフィードバックを前記ＣＳＩプロセス毎に独立して生成することができる。基地局装置は、ＣＳＩプロセス毎にＣＳＩ-ＲＳ
リソースとＣＳＩ−ＩＭを異なる設定にすることができる。端末装置は、１つ以上のＣＳＩプロセスが設定され、設定されたＣＳＩプロセス毎に独立にＣＳＩ報告を行う。また、ＣＳＩプロセスは、所定の送信モードにおいて設定される。
【００７５】
ＮＰ  ＣＳＩ−ＲＳでは、１つのＣＳＩ−ＲＳリソースが設定される。また、１つのＣＳＩ−ＲＳリソースは複数のＣＳＩ−ＲＳリソース設定から構成され得る。複数のＣＳＩ−ＲＳリソースの各々のアンテナポート数は同じであっても異なってもよい。例えば、１２ポートのＣＳＩ−ＲＳリソースは、３つの４ポートＣＳＩ−ＲＳリソースによって構成される。また例えば、１６ポートのＣＳＩ−ＲＳリソースは、２つの８ポートＣＳＩ−ＲＳリソースによって構成される。また例えば、２０ポートのＣＳＩ−ＲＳリソースは、１２ポートのＣＳＩ−ＲＳリソースの構成及び８ポートのＣＳＩ−ＲＳリソースから構成される。また例えば、２４ポートのＣＳＩ−ＲＳリソースは、３つの８ポートＣＳＩ−ＲＳリソースや２つの１２ポートＣＳＩ−ＲＳリソースによって構成される。また例えば２８ポートのＣＳＩ−ＲＳリソースは、１２ポートＣＳＩ−ＲＳリソース及び１６ポートＣＳＩ−ＲＳリソースから構成される。また例えば３２ポートＣＳＩ−ＲＳリソースは２つの１６ポートＣＳＩ−ＲＳリソースや４つの８ポートＣＳＩ−ＲＳから構成される。なお各アンテナポート数のＣＳＩ−ＲＳリソースの構成は一例であり、これに限るものではない。
【００７６】
またＣＳＩ−ＲＳ設定ＩＤが設定される場合、ＮＰ  ＣＳＩ−ＲＳでは、１つのＣＳＩ−ＲＳ設定ＩＤが設定される。また、基地局装置はＮＰ  ＣＳＩ−ＲＳを複数の拡散率（拡散コード長）で拡散して送信することができる。また基地局装置は、どの拡散率（拡散コード長）を用いたかを示す情報を端末装置に送信することができる。つまり端末装置は、基地局装置から受信したどの拡散率（拡散コード長）を用いたかを示す情報によって、ＮＰ  ＣＳＩ−ＲＳに用いられた拡散率（拡散コード長）を知ることができる。
【００７７】
本実施形態に係る端末装置は、複数のフィードバック情報形式に基づいて、ＣＳＩをフィードバックすることが可能である。複数のフィードバック情報形式の１つは、ＰＭＩ／ＣＱＩ／ＲＩ／ＣＲＩ等に基づいて行われるＣＳＩフィードバックであり、以下では暗示的ＣＳＩフィードバック（Implicit CSI feedback、暗示的フィードバック情報形式）と
も呼称する。複数のフィードバック情報形式の１つは、端末装置と基地局装置との間の伝搬路情報を直接量子化した情報に基づいて行われるＣＳＩフィードバックであり、以下では明示的ＣＳＩフィードバック（Explicit CSI feedback、明示的フィードバック情報形
式）とも呼称する。
【００７８】
明示的ＣＳＩフィードバックによって端末装置が基地局装置にフィードバックする情報には、端末装置が推定した、基地局装置との間の伝搬路情報（伝搬路行列、チャネル行列）を示す情報を直接量子化した情報や、端末装置が該伝搬路情報に対して、可逆的処理を施して得られた情報を量子化した情報や、不可逆的処理を施して得られた情報を量子化した情報や、前述した暗示的ＣＳＩフィードバックで端末装置が基地局装置に通知した情報と、実際の伝搬路情報との誤差を示す情報を量子化した情報を含む。該可逆的処理には、該伝搬路情報に対する固有値分解、特異値分解、ギブンス回転、ＦＦＴ／ＩＦＦＴ処理、ＤＦＴ／ＩＤＦＴ処理、離散コサイン変換／逆離散コサイン変換を含む。可逆的処理によって得られる情報には、伝搬路情報、伝搬路行列情報、固有ベクトル、固有値、特異値、チャネルインパルスレスポンスを示す情報を含む。不可逆的処理には、該伝搬路情報に対する時間領域、周波数領域、空間領域および符号領域のいずれかの領域、もしくは複数の領域における平均化処理、内挿処理、外挿処理、窓関数処理、畳み込み演算処理を含む。可逆的処理や不可逆的処理により、情報量は抑圧（圧縮）される。また、明示的ＣＳＩフィードバックによって端末装置が基地局装置にフィードバックする情報には、端末装置が、セル間干渉が無いものとして計算する受信品質情報や、端末装置がセル間干渉を含むも
のとして計算する受信品質情報が含まれる。基地局装置は、明示的ＣＳＩフィードバックに関連付けられた処理を、明示的に端末装置に設定することができるし、予め端末装置との間で取り決めておくことができる。基地局装置は、明示的ＣＳＩフィードバックによって端末装置が行なうＣＳＩ報告の情報量（フィードバック量、サイズ）を、端末装置に設定することによって、端末装置に対して、明示的ＣＳＩフィードバックに関連付けられた処理を暗示的に設定することができる。
【００７９】
基地局装置は、端末装置に対して、複数のフィードバック情報形式のいずれを用いるかを設定することができる。例えば、基地局装置は、非周期的ＣＳＩフィードバックを要求する非周期的ＣＳＩフィードバックトリガに、複数のフィードバック情報形式のいずれを用いるかを示す情報を記載することができる。また、基地局装置は、フィードバック情報形式を示す情報を含むＣＳＩ報告タイプ及びＣＳＩ−ＲＳ設定情報のＩＤであるＣＳＩ−ＲＳ設定情報ＩＤ、周期的ＣＳＩ−ＲＳの情報又は非周期的ＣＳＩ−ＲＳの情報を、端末装置に送信することができる。また、基地局装置は、複数のフィードバック情報形式はＣＳＩプロセス毎及び／又はＣＳＩサブフレームセット毎及び／又はＣＳＩプロセスとＣＳＩサブフレームセットのペアに対して設定することができる。
【００８０】
基地局装置は、端末装置に対して、複数のフィードバック情報形式毎にＣＳＩ−ＲＳの設定を行なうことができる。基地局装置は、複数のフィードバック情報形式毎に、異なるＣＳＩ−ＲＳポート数を設定することができる。例えば、基地局装置は、端末装置に対して、ＣＳＩ−ＲＳポートとして１６以下を設定した場合には、端末装置は暗示的ＣＳＩフィードバックを行なうように設定し、ＣＳＩ−ＲＳポートとして１６を上回るポート数を設定した場合には、端末装置は明示的ＣＳＩフィードバックを行なうように設定することができる。また、明示的ＣＳＩフィードバックを行うことができる最大のアンテナポート数が設定されることもできる。
【００８１】
基地局装置は、複数のフィードバック情報形式のそれぞれに対して、異なるフィードバック情報量を関連付けることができる。基地局装置は、複数のフィードバック情報形式毎に、異なるフィードバック周期を設定することができる。例えば、基地局装置は、端末装置に対して、暗示的ＣＳＩフィードバックを行なう場合に設定するフィードバック周期がＸｍｓであった場合に、基地局装置は、端末装置に対して、明示的ＣＳＩフィードバックを行なう場合に設定するフィードバック周期をＹｍｓと設定することができ、基地局装置はＸとＹとを異なる値に設定することができる。
【００８２】
また、基地局装置が端末装置に通知するＤＣＩ、ＤＣＩフォーマット、もしくはＤＣＩフォーマットの記載内容に応じて、端末装置に対して複数のフィードバック情報形式を選択的に、もしくは同時に設定することができる。例えば、基地局装置は、端末装置の上りリンク伝送の送信モードをＤＣＩで設定する際に、該送信モードが所定の送信モードに含まれていない場合、基地局装置は該端末装置に対して、暗示的ＣＳＩフィードバックを設定することができる。明示的ＣＳＩフィードバックは、端末装置が上りリンク伝送で送信する信号に含まれるＣＳＩフィードバック情報量が増加するため、基地局装置は該ＣＳＩフィードバック情報量をサポート可能（送信可能）な送信モードを設定できる端末装置に対して、明示的ＣＳＩフィードバックを設定することができる。もしくは、基地局装置は、端末装置から端末の能力として明示的ＣＳＩフィードバックをサポートしていることを受信した場合に、該端末装置に対して明示的ＣＳＩフィードバックを設定することができる。
【００８３】
基地局装置は、端末装置に対して、複数のフィードバック情報形式を同時に設定することができる。例えば、基地局装置は、端末装置に対して、暗示的ＣＳＩフィードバックとしてＰＭＩのフィードバックと、明示的ＣＳＩフィードバックとして固有ベクトルのフィ
ードバックを同時に設定することができる。また例えば、基地局装置は、端末装置に対して、暗示的ＣＳＩフィードバックとしてＰＭＩのフィードバックと、明示的ＣＳＩフィードバックとして該ＰＭＩが示す線形フィルタ（プレコーダ）と、基地局装置と端末装置との間の伝搬路情報の誤差を示す情報のフィードバックを同時に設定することができる。なお、該伝搬路情報の誤差を示す情報は、ＰＭＩ又はＰＭＩとのジョイントコーディングでフィードバックされることもできる。
【００８４】
基地局装置は、端末装置に対して、複数のフィードバック情報形式を同時に設定する場合、フィードバック周期（ＣＳＩ報告周期）を異なる値に設定することができる。図２は本実施形態に係るフィードバック情報形式毎に設定されるＣＳＩフィードバック周期の様子を示す概略図である。図２に示すように、基地局装置は、端末装置に対して、明示的ＣＳＩフィードバックの周期を、暗示的ＣＳＩフィードバックの周期よりも短く設定することができる。このように設定されることで、フィードバックに係るオーバーヘッドが大きい明示的フィードバックのフィードバック周期が長くなるから、明示的ＣＳＩフィードバックに係るオーバーヘッドの増加を回避することが可能となる。また、基地局装置は、端末装置に対して、明示的ＣＳＩフィードバックの周期を、暗示的ＣＳＩフィードバックの周期よりも長く設定することができる。
【００８５】
基地局装置は、明示的ＣＳＩフィードバックにおいて、複数のＣＳＩ報告を端末装置に設定することができる。例えば、基地局装置は、明示的ＣＳＩフィードバックにおいて、長周期のＣＳＩ報告と短周期のＣＳＩ報告を同時に設定することができる。長周期のＣＳＩ報告は、例えば、端末装置が、各ＣＳＩ−ＲＳで推定した伝搬路情報を、割り当て全帯域幅に渡って平均化したワイドバンドＣＳＩ（Wideband CSI、ワイドバンドＣＳＩ報告）である。短周期のＣＳＩ報告は、例えば、端末装置が、各ＣＳＩ−ＲＳで推定した伝搬路情報を、ＲＢ毎またはサブバンド毎に平均化したサブバンドＣＳＩ（Subband CSI、サブ
バンドＣＳＩ報告）である。
【００８６】
基地局装置は、明示的ＣＳＩフィードバックにおいて、端末装置に対して、Ｗ１とＷ２の２つのＣＳＩ報告を設定することができる。明示的ＣＳＩフィードバックにおいて、Ｗ１およびＷ２は、それぞれ伝搬路行列もしくは固有ベクトルであることができる。基地局装置は端末装置に対して、Ｗ１をワイドバンドＣＳＩ、Ｗ２をサブバンドＣＳＩに設定することができる。基地局装置は、端末装置に対して、Ｗ１とＷ２の報告周期を異なる値に設定することができる。例えば基地局装置は、Ｗ１の報告周期を、Ｗ２の報告周期よりも短く設定することができる。
【００８７】
基地局装置は、明示的ＣＳＩフィードバックにおいて、Ｗ１を、水平方向に配置されたアンテナに関連付けられた情報（例えばＷ１Ｈ）と、垂直方向に配置されたアンテナに関連付けられた情報（例えばＷ１Ｖ）に分割して、それぞれに関するＣＳＩ報告を端末装置に設定することができる。基地局装置は、端末装置に対して、水平方向に配置されたアンテナに関連付けられたＣＳＩ−ＲＳおよび該ＣＳＩ−ＲＳに関連付けられたＣＳＩ報告に対しては、明示的ＣＳＩフィードバックを設定し、垂直方向に配置されたアンテナに関連付けられたＣＳＩ−ＲＳおよび該ＣＳＩ−ＲＳに関連付けられたＣＳＩ報告に対しては、暗示的ＣＳＩフィードバックを設定することができる。複数の端末装置に対して同時送信を行なうマルチユーザ空間多重伝送においては、水平方向に配置されたアンテナによって基地局装置が生成するビームパターンによって、その伝送特性が大きく変化する。水平方向に配置されたアンテナに関連付けられたＣＳＩ報告が明示的ＣＳＩフィードバックによって精度よく基地局装置に端末装置によって行われることで、基地局装置によるマルチユーザ空間多重伝送の精度が向上される。なお、基地局装置は、端末装置に対して、水平方向に配置されたアンテナに関連付けられたＣＳＩ−ＲＳおよび該ＣＳＩ−ＲＳに関連付けられたＣＳＩ報告に対しては、暗示的ＣＳＩフィードバックを設定し、垂直方向に配置さ
れたアンテナに関連付けられたＣＳＩ−ＲＳおよび該ＣＳＩ−ＲＳに関連付けられたＣＳＩ報告に対しては、明示的ＣＳＩフィードバックを設定することができる。
【００８８】
基地局装置は、Ｗ１とＷ２の両方に、明示的ＣＳＩフィードバックと暗示的ＣＳＩフィードバックをそれぞれ設定することができる。例えば、基地局装置は、端末装置に対して、Ｗ１（もしくはＷ２）に関するＣＳＩ報告を設定する際に、明示的ＣＳＩフィードバックと暗示的ＣＳＩフィードバックを設定し、端末装置が明示的ＣＳＩフィードバックでＷ１を報告する報告周期と、端末装置が暗示的ＣＳＩフィードバックでＷ１を報告する報告周期を、異なる値に設定することができる。端末装置は、複数のＣＳＩ報告のうち、少なくとも２つが同時に発生した場合、全てのＣＳＩ報告を行なっても良いし、いずれか１つのＣＳＩ報告を優先して行なっても良い。
【００８９】
基地局装置は、端末装置に対して、Ｗ１を暗示的ＣＳＩフィードバックによるＣＳＩ報告とするように設定し、Ｗ２を明示的ＣＳＩフィードバックによるＣＳＩ報告とするように設定することができる。端末装置が移動する環境において、ワイドバンドＣＳＩであるＷ１の変動が、サブバンドＣＳＩであるＷ２の変動よりも早いため、Ｗ２を明示的ＣＳＩフィードバックによって精度よく基地局装置に報告されることによって、基地局装置のビームフォーミング精度が向上される。
【００９０】
基地局装置は、端末装置に対して、Ｗ１を明示的ＣＳＩフィードバックによるＣＳＩ報告とするように設定し、Ｗ２を暗示的ＣＳＩフィードバックによるＣＳＩ報告とするように設定することができる。複数の端末装置に対して同時送信を行なうマルチユーザ空間多重伝送においては、ワイドバンドＣＳＩであるＷ１に基づいて基地局装置が生成するビームパターンによって、その伝送特性が大きく変化する。Ｗ１が明示的ＣＳＩフィードバックによって精度よく基地局装置に報告されることによって、基地局装置によるマルチユーザ空間多重伝送の精度が向上される。
【００９１】
基地局装置は、複数のフィードバック情報形式にアナログフィードバックを含むことができる。端末装置は、アナログフィードバックとして、自装置が推定した基地局装置との間の伝搬路情報を送信シンボルとして、基地局装置に送信することができる。
【００９２】
また、基地局装置が端末装置に通知するＤＣＩ、ＤＣＩフォーマット、もしくはＤＣＩフォーマットの記載内容に応じて、端末装置にアナログフィードバックを設定するか否かを決定することができる。例えば、基地局装置は、端末装置の上りリンク伝送の送信モードをＤＣＩで設定する際に、該送信モードが所定の送信モードに含まれていない場合、基地局装置は該端末装置に対して、アナログフィードバックを設定しない。アナログフィードバックは、端末装置が上りリンク伝送で送信する信号に含まれるＣＳＩフィードバック情報量が増加するため、基地局装置は該ＣＳＩフィードバック情報量をサポート可能（送信可能）な送信モードを設定できる端末装置に対して、アナログフィードバックを設定することができる。なお、端末装置は、アナログフィードバックをサポートしているか否かの情報を端末の能力として基地局装置に送信することができる。
【００９３】
また、基地局装置は、端末装置がアナログフィードバックを行なう無線リソースを設定することができる。基地局装置は、端末装置に対して、アナログフィードバックを、例えば、ＳＲＳが送信されるリソース（SRSリソース）やＤＭＲＳが送信されるリソース（DMRSリソース）や、ＰＵＳＣＨが送信されるリソース（PUSCHリソース）や、PUCCHが送信さ
れるリソース（PUCCHリソース）で行われるように設定することができる。基地局装置が
端末装置にアナログフィードバック設定する上りリンクのリソースは、当該リソースの全てであっても良いし、一部のリソースであってもよい。例えば、基地局装置は、端末装置に対して、ＰＵＳＣＨリソースの全てでアナログフィードバックを行なうように設定して
も良いし、ＰＵＳＣＨリソースの一部のみでアナログフィードバックを行なうように設定しても良い。
【００９４】
基地局装置は、端末装置に対してＳＲＳの送信をリクエストするＳＲＳトリガーに、該アナログフィードバックを設定するか否かを示す情報を含めることができる。また、基地局装置は、ＲＲＣシグナリング等の上位レイヤのシグナリングによって、該ＳＲＳトリガーが、アナログフィードバックを要求しているか、否かを、端末装置に通知することができる。このことは、端末装置が、他の上りリンクリソースでアナログフィードバックを行なう場合も同様である。
【００９５】
基地局装置は、端末装置がアナログフィードバックを行なう周期を設定することができる。このとき、端末装置がアナログフィードバックをＳＲＳリソースに基づいて行なう際に、ＳＲＳの送信周期と、アナログフィードバックの周期が一致する場合がある。このとき、端末装置は、ＳＲＳの送信を優先してもよいし、アナログフィードバックを優先してもよい。基地局装置は、ＲＲＣシグナリング等の上位レイヤのシグナリングによって、端末装置がＳＲＳの送信と、アナログフィードバックとのいずれを優先するかを設定することができる。
【００９６】
端末装置は、アナログフィードバックを行なう場合、基地局装置に送信する伝搬路情報は、少なくとも同じＳＣ−ＦＤＭＡシンボル内で送信する情報に関しては、その振幅を一定とすることができる。また、端末装置が上りリンク伝送のリソースの一部で、アナログフィードバックを行なう場合、端末装置は、基地局装置に送信する伝搬路情報の振幅を、他のリソースで送信している信号の振幅にそろえることができる。例えば、端末装置がＳＲＳリソースの一部でアナログフィードバックを行なう場合、端末装置は、他のＳＲＳリソースで送っているＳＲＳの振幅と、アナログフィードバックとして送信する信号の振幅を揃えることができる。
【００９７】
端末装置がアナログフィードバックを行なう場合、端末装置のランク数（もしくはＲＩが示す情報）に応じて、フィードバック情報量を変化させてもよいし、このように基地局装置は端末装置を設定することができる。例えば、端末装置は、ランク１の伝搬路情報を通知する場合と、ランク２の伝搬路情報を通知する場合とで、フィードバック情報量を変化させてもよい。
【００９８】
また端末装置は、アナログフィードバックを行う場合、複数の伝搬路情報を拡散コードで拡散及び／又は多重して送信することができる。
【００９９】
また基地局装置は、アナログフィードバック用の参照信号を送信することができる。アナログフィードバック用の参照信号は、セル内共通の配置でも良いし、端末装置に固有の配置でも良い。この場合、端末装置は、基地局装置から受信したアナログフィードバックバック用の参照信号からチャネル情報を推定する。
【０１００】
また、基地局装置は、ＮＰ  ＣＳＩ−ＲＳを拡散する際に、ＣＳＩ−ＲＳのポート数に基づいて、１つのＮＰ  ＣＳＩ−ＲＳを拡散するＯＦＤＭシンボルおよびサブキャリア間隔を異なる値に設定することができる。例えば、基地局装置は、ＣＳＩ−ＲＳのポート数が所定の値（例えば１６）以下であった場合、１つのＮＰ  ＣＳＩ―ＲＳを拡散する複数のＯＦＤＭシンボルは１スロット内に含まれるように設定し、ＣＳＩ−ＲＳのポート数が所定の値を上回る場合、１つのＮＰ  ＣＳＩ―ＲＳを拡散する複数のＯＦＤＭシンボルは２スロット内に含まれるように設定することができる。
【０１０１】
また、基地局装置は、ＣＳＩ−ＲＳリソースの設定を、複数のサブフレームに渡って設
定することができる。例えば、基地局装置は、ｍを自然数とし、２０ポートのＣＳＩリソースを設定する際に、第ｍサブフレームに対して１２ポートのＣＳＩ−ＲＳリソースを設定し、第（ｍ＋１）サブフレームに８ポートのＣＳＩ−ＲＳリソースを設定することができる。すなわち、本実施形態に係る基地局装置は、端末装置に対して複数のＣＳＩ−ＲＳポートを設定する際に、複数のサブフレームを、ＣＳＩ−ＲＳポートを設定するサブフレームとして設定することができる。基地局装置は、ＣＳＩ−ＲＳリソースの設定を複数のサブフレームに渡って設定する際に、その設定周期（ＣＳＩ−ＲＳリソースの送信周期、ＣＳＩ−ＲＳリソースの設定周期）は、サブフレーム毎に異なっていても構わないし、同じでも構わない。
【０１０２】
また、基地局装置は、端末装置に対して設定した複数のＣＳＩ−ＲＳリソースのうち、少なくとも１つのＣＳＩ−ＲＳリソースに対して、ＣＳＩ−ＲＳ以外の信号を配置することができる。基地局装置は、ＣＳＩ−ＲＳ以外の信号を配置するＣＳＩ−ＲＳリソースを示す設定情報（CSI-RSサブセット制限情報、CSI-RS Subset Restriction）を端末装置に
設定することができる。基地局装置がＣＳＩ−ＲＳサブセット制限情報を端末装置に設定する周期は、基地局装置がＣＳＩ−ＲＳリソースを端末装置に設定する周期と同じでも構わない、異なっていても構わない。
【０１０３】
ＮＰ  ＣＳＩ−ＲＳが設定された場合、基地局装置はＮＰ  ＣＳＩ−ＲＳの設定情報を端末装置に送信することができる。ＮＰ  ＣＳＩ−ＲＳの設定情報は、アンテナポート数、コードブックサブセット制限（CBSR; Codebook Subset Restriction）に関する情報、
コードブックに関する情報、干渉を測定する際のリソース制限をするか否かの設定である干渉測定制限、１又は複数のリソース設定、拡散コード長の一部又は全部を含む。なお、基地局装置はアンテナポート数とリソース設定は関連付けて設定することができる。例えば、ＮＰ  ＣＳＩ−ＲＳの設定情報が複数のアンテナポート数、複数の１又は複数のリソース設定を含む場合、アンテナポート数の各々と１又は複数のリソース設定の各々が関連付けられる。
【０１０４】
多数のアンテナポートでＣＳＩ−ＲＳを送信する場合、ＣＳＩ−ＲＳを送信するためのリソースが増えてしまう。このため、ＣＳＩ−ＲＳ送信のオーバーヘッドを減らすことによって、スループットが向上する。ＣＳＩ−ＲＳ送信のオーバーヘッドを減らすために、ＣＳＩ−ＲＳの送信周期を長くすることが考えられる。例えば、水平方向のビームフォーミングと垂直方向のビームフォーミングを考えると、一般に好適な垂直ビームの変化は好適な水平ビームの変化よりも緩やかである。従って、垂直ビームに関連するＣＳＩ−ＲＳの送信周期（間隔）を長くすることで、ＣＳＩ−ＲＳ送信のオーバーヘッドを低減できる。例えば、水平方向に８アンテナポート、垂直方向に４アンテナポートの場合、合計で３２アンテナポートになる。このとき、基地局装置は、周期ＴＨで水平方向の８ポートＣＳＩ−ＲＳを送信し、周期ＴＶで３２ポートＣＳＩ−ＲＳを送信することができる。なお、ＴＨ＜ＴＶである。また８ポートのＣＳＩ−ＲＳ設定情報は３２ポートＣＳＩ−ＲＳ設定情報に含まれても良いし、８ポートのＣＳＩ−ＲＳ設定情報と３２ポートＣＳＩ−ＲＳ設定情報は別の設定としても良い。８ポートのＣＳＩ−ＲＳ設定情報と３２ポートＣＳＩ−ＲＳ設定情報が別の設定の場合、２つの設定情報はリンクさせる必要がある。例えば、８ポートのＣＳＩ−ＲＳ設定情報に含まれるＣＳＩ−ＲＳ設定ＩＤと３２ポートＣＳＩ−ＲＳ設定情報に含まれるＣＳＩ−ＲＳ設定ＩＤは同じとすることができる。この場合、端末装置は、同じＣＳＩ−ＲＳ設定ＩＤに関するＣＳＩを考慮してＣＳＩを算出及び報告することができる。また、８ポート又は３２ポートＣＳＩ−ＲＳ設定情報に参照先のＩＤを含めることができる。このとき端末装置は、参照先のＩＤに関するＣＳＩを考慮してＣＳＩを算出及び報告することができる。このように、３２ポートＣＳＩ−ＲＳが設定された場合であっても、基地局装置は８ポートのＣＳＩ−ＲＳ又は３２ポートのＣＳＩ−ＲＳを送信するため、３２ポートＣＳＩ−ＲＳを送信し続ける場合と比べて、ＣＳＩ−ＲＳのオー
バーヘッドを低減できる。また基地局装置はＣＳＩ−ＲＳの送信周期をＮＰ  ＣＳＩ−ＲＳの設定情報に含めることができる。また例えば、端末装置は、３２ポートＣＳＩ−ＲＳが設定されている場合に、基地局装置から受信したＣＳＩ−ＲＳ及び／又はＮＰ  ＣＳＩ−ＲＳの設定情報から８ポートＣＳＩ−ＲＳが送信されたか、３２ポートＣＳＩ−ＲＳが送信されたかを判断（特定）することができる。また端末装置は、３２ポートＣＳＩ−ＲＳが設定されている場合に８ポートＣＳＩ−ＲＳを受信したとき、８ポートＣＳＩ−ＲＳからＣＱＩ／ＰＭＩ／ＲＩを算出して基地局装置に報告することもできるし、以前の報告時に算出した３２ポートのＣＱＩ／ＰＭＩ／ＲＩを用いて８ポートのＣＱＩ／ＰＭＩ／ＲＩを算出して基地局装置に報告することができる。
【０１０５】
また基地局装置は、多数のアンテナポートの場合に、ＣＳＩ−ＲＳの送信周期を長く設定することもできる。つまり、アンテナポート数によって、設定できるＣＳＩ−ＲＳの送信周期を変えることができる。例えば、アンテナポート数が１６以下の場合よりも、アンテナポート数が１６より多い場合の方が、長い周期を設定する。また例えばＣＳＩ−ＲＳのアンテナポート数が１６より多い場合、基地局装置は、ＣＳＩ−ＲＳの送信周期をＣＳＩ−ＲＳの設定情報又はＮＰ  ＣＳＩ−ＲＳの設定情報に含めることができる。
【０１０６】
ＢＦ  ＣＳＩ−ＲＳでは、１又は複数のＣＳＩ−ＲＳリソースが設定される。ここではＣＳＩ−ＲＳリソース数をＫとする。複数のＣＳＩ−ＲＳのうち、少なくとも１つは異なるビーム方向となるようにビームフォーミングされる。またＢＦ  ＣＳＩ−ＲＳの最大アンテナポート数はＮＰ  ＣＳＩ−ＲＳの最大アンテナポート数よりも少ない。またＣＳＩ−ＲＳ  ＩＤが設定される場合、ＢＦ  ＣＳＩ−ＲＳでは、１又は複数のＣＳＩ−ＲＳ  ＩＤが設定される。またＢＦ  ＣＳＩ−ＲＳが設定された場合、端末装置は、複数のＣＳＩ−ＲＳリソースから好適なＣＳＩ−ＲＳリソースを選択し、ＣＳＩとしてＣＱＩ／ＰＭＩ／ＲＩ／ＣＲＩを基地局装置に報告する。
【０１０７】
ＢＦ  ＣＳＩ−ＲＳが設定された場合、基地局装置はＢＦ  ＣＳＩ−ＲＳの設定情報を端末装置に送信することができる。ＢＦ  ＣＳＩ−ＲＳの設定情報は、１又は複数のＣＳＩ−ＲＳ設定ＩＤ、干渉測定制限、コードブックサブセット制限（CBSR; Codebook Subset Restriction）に関する情報、各ＣＳＩ−ＲＳ設定ＩＤ毎の4ポートにおける別のコードブックの指示、ＢＦ  ＣＳＩ−ＲＳのコードブックに関する情報、チャネル測定時のリソース（サブフレーム）を制限するか否かの設定であるチャネル測定制限の一部又は複数を含む。
【０１０８】
基地局装置は、端末装置からのＣＳＩ報告によって、端末装置のチャネル情報を得ることができる。端末装置は、ＮＰ  ＣＳＩ−ＲＳ（ＣＬＡＳＳ  Ａ）が設定された場合、基地局装置にＣＱＩ／ＰＭＩ／ＲＩを報告することができる。ＢＦ  ＣＳＩ−ＲＳ（ＣＬＡＳＳ  Ｂ）が設定された場合、基地局装置にＣＱＩ／ＰＭＩ／ＲＩ／ＣＲＩを報告することができる。また、ＮＰ  ＣＳＩ−ＲＳとＢＦ  ＣＳＩ−ＲＳの両方（ＣＬＡＳＳ  Ｃとも呼ぶ）が設定された場合、端末装置は、ＮＰ  ＣＳＩ−ＲＳに関するＣＳＩとＢＦ  ＣＳＩ−ＲＳに関するＣＳＩを報告する。
【０１０９】
基地局装置は、ＮＰ  ＣＳＩ−ＲＳ（ＣＬＡＳＳ  Ａ）を設定する端末装置に、暗示的ＣＳＩフィードバックを設定することができる。また、基地局装置は、ＢＦ  ＣＳＩ−ＲＳ（ＣＬＡＳＳ  Ｂ）を設定する端末装置に、明示的ＣＳＩフィードバック、もしくは暗示的ＣＳＩフィードバックと明示的ＣＳＩフィードバックの両方を設定することができる。
【０１１０】
端末装置は、ＮＰ  ＣＳＩ−ＲＳ（ＣＬＡＳＳ  Ａ）が設定された場合、暗示的ＣＳＩフィードバックに基づいて、基地局装置にＣＱＩ／ＰＭＩ／ＲＩを報告することができる
。ＢＦ  ＣＳＩ−ＲＳ（ＣＬＡＳＳ  Ｂ）が設定された場合、端末装置は、基地局装置に明示的ＣＳＩフィードバックに基づいて、例えば固有ベクトルを報告することができる。なお、ＢＦ  ＣＳＩ−ＲＳ（ＣＬＡＳＳ  Ｂ）が設定された端末装置は、さらに、ＣＱＩ／ＰＭＩ／ＲＩ／ＣＲＩを報告することができる。
【０１１１】
またＮＰ  ＣＳＩ−ＲＳとＢＦ  ＣＳＩ−ＲＳの両方が設定される場合、基地局装置は、ＮＰ  ＣＳＩ−ＲＳの送信周期とＢＦ  ＣＳＩ−ＲＳの送信周期を変えることができる。例えば、基地局装置は、ＮＰ  ＣＳＩ−ＲＳの送信周期はＢＦ  ＣＳＩ−ＲＳの送信周期よりも長く設定することができる。
【０１１２】
ＢＦ  ＣＳＩ−ＲＳが設定される場合、基地局装置は、端末装置に暗示的ＣＳＩフィードバックを設定したか、明示的ＣＳＩフィードバックを設定したかで、ＢＦ  ＣＳＩ−ＲＳの送信周期を変えることができる。このことは、ＮＰ  ＣＳＩ−ＲＳが設定される場合、もしくはＮＰ  ＣＳＩ−ＲＳとＢＦ  ＣＳＩ−ＲＳが両方設定される場合も同様である。
【０１１３】
また、基地局装置はＫの値が異なるＢＦ  ＣＳＩ−ＲＳを複数設定することができる。また基地局装置は、Ｋの値に従ってＣＳＩ−ＲＳの送信周期を変えることができる。Ｋの値が大きくなるとＣＳＩ−ＲＳのオーバーヘッドが大きくなるため、Ｋの値が大きくなるに従ってＣＳＩ−ＲＳ送信周期を大きくすることによってＣＳＩ−ＲＳのオーバーヘッドを低減できる。例えばＫ＝１とＫ＞１のＢＦ  ＣＳＩ−ＲＳが設定されている場合、Ｋ＝１のＢＦ  ＣＳＩ−ＲＳの送信周期は、Ｋ＞１のＢＦ  ＣＳＩ−ＲＳよりも短く設定することができる。
【０１１４】
基地局装置は、Ｋの値によって、フィードバック情報形式の設定を変えることができる。例えば、Ｋ＝１の場合のみ、基地局装置は端末装置に対して明示的フィードバック情報形式を設定し、Ｋ＞１の場合は、基地局装置は端末装置に対して暗示的フィードバック情報形式を設定することができる。
【０１１５】
また、Ｋの値が異なるＢＦ  ＣＳＩ−ＲＳを複数設定された場合、端末装置は設定されたＢＦ  ＣＳＩ−ＲＳの各々に対するＣＱＩ／ＰＭＩ／ＲＩ／ＣＲＩを基地局装置に報告する。もしくは、端末装置は設定された全てのＢＦ  ＣＳＩ−ＲＳリソースから好適なＢＦ  ＣＳＩ−ＲＳリソースを選択し、そのＢＦ  ＣＳＩ−ＲＳのＣＱＩ／ＰＭＩ／ＲＩ／ＣＲＩを基地局装置に報告する。
【０１１６】
また、ＣＳＩ−ＲＳは周期的に送信することに加え、非周期的に送信することができる。周期的なＣＳＩ−ＲＳをＰｅｒｉｏｄｉｃ  ＣＳＩ−ＲＳ（Ｐ−ＣＳＩ−ＲＳ、周期的ＣＳＩ−ＲＳ）、非周期的なＣＳＩ−ＲＳをＡｐｅｒｉｏｄｉｃ  ＣＳＩ−ＲＳ（Ａ−ＣＳＩ−ＲＳ、非周期的ＣＳＩ−ＲＳ）とも呼ぶ。例えばＡ−ＣＳＩ−ＲＳは基地局装置が指示するタイミングで送信される。この場合、端末装置は、基地局装置から制御情報等で指示されたタイミングでＡ−ＣＳＩ−ＲＳを受信する。Ｐ−ＣＳＩ−ＲＳの設定情報及び／又はＡ−ＣＳＩ−ＲＳの設定情報は上位層のシグナリング又は下りリンク制御情報などの物理層のシグナリングで送信される。Ａ−ＣＳＩ−ＲＳの設定情報は、アンテナポート数、ＣＳＩ−ＲＳ設定ＩＤ、リソース設定、ＣＳＩ報告タイプ、ＣＳＩを報告するサブフレーム（リソース）の一部又は全部を含む。また、Ｐ−ＣＳＩ−ＲＳの設定情報及び／又はＡ−ＣＳＩ−ＲＳの設定情報は上記ＣＳＩ−ＲＳの設定情報に含めることができる。基地局装置は、Ａ−ＣＳＩ−ＲＳに関する情報を下りリンク制御情報に含めて送信する場合、この下りリンク制御情報と同じサブフレーム（スロット）でＣＳＩ−ＲＳを送信する。逆に言えば、端末装置は、受信した下りリンク制御情報にＡ−ＣＳＩ−ＲＳに関する情報が含まれている場合、この下りリンク制御情報と同じサブフレーム（スロット）でＡ−Ｃ
ＳＩ−ＲＳを受信する。このようにＡ−ＣＳＩ−ＲＳはあるタイミングで送信されるため、不必要にＣＳＩ−ＲＳを送信しなくなるため、ＣＳＩ−ＲＳのオーバーヘッドを低減することができる。
【０１１７】
基地局装置は、ＣＳＩ−ＲＳを周期的に送信するか、非周期的に送信するかによって、フィードバック情報形式の設定を変えることができる。例えば、基地局装置は、周期的にＣＳＩ−ＲＳを送信する場合には、暗示的フィードバック情報形式を設定し、非周期的にＣＳＩ−ＲＳを送信する場合には、明示的フィードバック情報形式を設定することができる。
【０１１８】
また、Ｐ−ＣＳＩ−ＲＳとＡ−ＣＳＩ−ＲＳが衝突した場合、端末装置はＡ−ＣＳＩ−ＲＳを優先してＣＳＩ等を報告する。Ｐ−ＣＳＩ−ＲＳとしてＮＰ  ＣＳＩ−ＲＳが設定されている場合に、Ａ−ＣＳＩ−ＲＳとしてＢＦ  ＣＳＩ−ＲＳを受信した場合、端末装置は、ＢＦ  ＣＳＩ−ＲＳに関するＣＳＩを報告する。逆に、Ｐ−ＣＳＩ−ＲＳとしてＢＦ  ＣＳＩ−ＲＳが設定されている場合に、Ａ−ＣＳＩ−ＲＳとしてＮＰ  ＣＳＩ−ＲＳを受信した場合、端末装置は、ＮＰ  ＣＳＩ−ＲＳに関するＣＳＩを報告する。
【０１１９】
また、Ｐ−ＣＳＩ−ＲＳ系列を生成するための初期値とＡ−ＣＳＩ−ＲＳ系列を生成するための初期値は変えることができる。例えば、Ｐ−ＣＳＩ−ＲＳ系列の初期値は物理セルＩＤで、Ａ−ＣＳＩ−ＲＳはユーザ固有のＩＤとすることができる。この場合、端末装置は、ＣＳＩ−ＲＳ系列の初期値を知ることで、受信したＣＳＩ−ＲＳがＰ−ＣＳＩ−ＲＳかＡ−ＣＳＩ−ＲＳかを判断することができる。
【０１２０】
図３は、本実施形態における基地局装置１Ａの構成を示す概略ブロック図である。図３に示すように、基地局装置１Ａは、上位層処理部（上位層処理ステップ）１０１、制御部（制御ステップ）１０２、送信部（送信ステップ）１０３、受信部（受信ステップ）１０４と送受信アンテナ１０５を含んで構成される。また、上位層処理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【０１２１】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【０１２２】
上位層処理部１０１は、端末装置の機能（UE capability）等、端末装置に関する情報
を端末装置から受信する。言い換えると、端末装置は、自身の機能を基地局装置に上位層の信号で送信する。
【０１２３】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【０１２４】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【０１２５】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【０１２６】
スケジューリング部１０１２は、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式（あるいはＭＣＳ）および送信電力などを決定する。スケジューリング部１０１２は、決定した情報を制御部１０２に出力する。
【０１２７】
スケジューリング部１０１２は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。
【０１２８】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【０１２９】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【０１３０】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、Ｑ
ＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【０１３１】
下りリンク参照信号生成部１０３３は、基地局装置１Ａを識別するための物理セル識別子（ＰＣＩ、セルＩＤ）などを基に予め定められた規則で求まる、端末装置２Ａが既知の系列を下りリンク参照信号として生成する。
【０１３２】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソース
エレメントに配置する。
【０１３３】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル
信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【０１３４】
受信部１０４は、制御部１０２から入力された制御信号に従って、送受信アンテナ１０５を介して端末装置２Ａから受信した受信信号を分離、復調、復号し、復号した情報を上位層処理部１０１に出力する。
【０１３５】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１３６】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力する。
【０１３７】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。
【０１３８】
また、多重分離部１０４２は、ＰＵＣＣＨとＰＵＳＣＨの伝搬路の補償を行なう。また、多重分離部１０４２は、上りリンク参照信号を分離する。
【０１３９】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【０１４０】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１４１】
図４は、本実施形態における端末装置２の構成を示す概略ブロック図である。図４に示すように、端末装置２Ａは、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５と送受信アンテナ２０６を含んで構成される。また、上位層処理部２０１は、無線リソース制御部（無線リソース制御ステップ）２０１１、スケジューリング情報解釈部（スケジューリング情報解釈ステ
ップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３を含んで構成される。
【０１４２】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet
Data Convergence Protocol: PDCP）層、無線リンク制御（Radio Link Control: RLC）
層、無線リソース制御（Radio Resource Control: RRC）層の処理を行なう。
【０１４３】
上位層処理部２０１は、自端末装置がサポートしている端末装置の機能を示す情報を、送信部２０３に出力する。
【０１４４】
無線リソース制御部２０１１は、自端末装置の各種設定情報の管理をする。また、無線リソース制御部２０１１は、上りリンクの各チャネルに配置される情報を生成し、送信部２０３に出力する。
【０１４５】
無線リソース制御部２０１１は、基地局装置から送信されたＣＳＩフィードバックに関する設定情報を取得し、制御部２０２に出力する。
【０１４６】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１４７】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１４８】
制御部２０２は、チャネル状態情報生成部２０５が生成したＣＳＩを基地局装置に送信するように送信部２０３を制御する。
【０１４９】
受信部２０４は、制御部２０２から入力された制御信号に従って、送受信アンテナ２０６を介して基地局装置１Ａから受信した受信信号を、分離、復調、復号し、復号した情報を上位層処理部２０１に出力する。
【０１５０】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１５１】
また、無線受信部２０４１は、変換したディジタル信号からＣＰに相当する部分を除去し、ＣＰを除去した信号に対して高速フーリエ変換を行い、周波数領域の信号を抽出する。
【０１５２】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１５３】
信号検出部２０４３は、ＰＤＳＣＨ、チャネル推定値を用いて、信号検出し、上位層処理部２０１に出力する。
【０１５４】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置１Ａに送信する。
【０１５５】
符号化部２０３１は、上位層処理部２０１から入力された上りリンク制御情報を畳み込み符号化、ブロック符号化等の符号化を行う。また、符号化部２０３１は、ＰＵＳＣＨのスケジューリングに用いられる情報に基づきターボ符号化を行なう。
【０１５６】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１５７】
上りリンク参照信号生成部２０３３は、基地局装置１Ａを識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１５８】
多重部２０３４は、制御部２０２から入力された制御信号に従って、ＰＵＳＣＨの変調シンボルを並列に並び替えてから離散フーリエ変換（Discrete Fourier Transform: DFT
）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１５９】
無線送信部２０３５は、多重された信号を逆高速フーリエ変換（Inverse Fast Fourier
Transform: IFFT）して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１６０】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１６１】
尚、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【０１６２】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１６３】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１６４】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１６５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１６６】
本発明は、基地局装置、端末装置および通信方法に用いて好適である。
【符号の説明】
【０１６７】
１Ａ  基地局装置
２Ａ、２Ｂ  端末装置
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
2019091962.tif 000003
【図２】
2019091962.tif 000004
【図３】
2019091962.tif 000005
【図４】
2019091962.tif 000006